【事件の表示】
　特願２０１７−５５０２８３「検査システム」拒絶査定不服審判事件〔平成２９年　５月１８日国際公開、ＷＯ２０１７／０８２１４２〕について、次のとおり審決する。
【結　論】
　本件審判の請求は、成り立たない。
【理　由】
第１　手続の経緯
　本願は、２０１６年（平成２８年）１１月２日（優先権主張　平成２７年１１月１３日）を国際出願日とする出願であって、令和元年１２月２５日付けで拒絶理由が通知され、令和２年３月４日に意見書及び手続補正書が提出され、同年５月１４日付けで拒絶査定されたところ、同年８月１９日に拒絶査定不服審判の請求がなされ、同時に手続補正（以下「本件補正」という。）がなされたものである。
第２　本件補正についての補正却下の決定
［補正却下の決定の結論］
本件補正を却下する。
［理由］
１　本件補正について
（１）本件補正後の特許請求の範囲の記載
　本件補正後の特許請求の範囲の請求項１の記載は、次のとおりである（下線は補正箇所を示す。）。
「　　【請求項１】
　少なくとも一部に生体反応を行うための反応場を有する流路
と、前記流路に連通するとともにピペットチップの先端部を収容可能な空間が設けられた液体吐出／吸引部と、を有する
　前記センサーチップをセットして、ＳＰＦＳ法により前記生体反応を行うＳＰＦＳ装置
と、
　を備え、
　前記ＳＰＦＳ装置は、
　
前記生体反応に用いられる反応用液を送液または吸引するためのポンプと、該ポンプに取り付けられた液体保持部としての前記ピペットチップと、を有し、前記ピペットチップを介してセンサーチップの流路に前記反応用液を
　前記流路内に流入した反応用液を温調する第１温調手段と、を少なくとも備えており、
　前記送液手段により、前記流路内に流入した反応用液の少なくとも一部を前記流路の外へ流出させるとともに再び流入させて往復移動させる送液（往復送液）を行う検査システムであって、
　前記ピペットチップは、
　前記液体吐出／吸引部の空間に挿入される前記ピペットチップの先端部が少なくとも露出するように前記ピペットチップの一部だけがヒートブロックである第２温調手段で覆われており、
　前記第２温調手段は、
　前記往復送液中に、前記送液手段が液体を保持する部分（液体保持部）の温調を介して前記センサーチップの流路の外に流出した反応用液を温調
し、
　
さらに
　１回の往復送液における前記反応用液の温度の振れ幅の大きさが、第２温調を行わずに同一条件で往復送液をした場合よりも小さくなるように、前記反応用液の温度を調節する
検査システム。」
（２）本件補正前の特許請求の範囲の記載
　本件補正前の令和２年３月４日にされた手続補正により補正された特許請求の範囲の請求項１の記載は、次のとおりである。
「　　【請求項１】
　少なくとも一部に生体反応を行うための反応場を有する流路が設けられたセンサーチップと、
　前記センサーチップの流路に対して前記生体反応に用いられる反応用液を流入および流出させる送液手段と、
　前記流路内に流入した反応用液を温調する第１温調手段と、を少なくとも備えており、
　前記送液手段により、前記流路内に流入した反応用液の少なくとも一部を前記流路の外へ流出させるとともに再び流入させて往復移動させる送液（往復送液）を行う検査システムであって、
　前記往復送液中に、前記送液手段が液体を保持する部分（液体保持部）の温調を介して前記センサーチップの流路の外に流出した反応用液を温調する第２温調手段を備え、
　前記第２温調手段は、
　１回の往復送液における前記反応用液の温度の振れ幅の大きさが、第２温調を行わずに同一条件で往復送液をした場合よりも小さくなるように、前記反応用液の温度を調節する
検査システム。」
２　補正の適否
　本件補正は、本件補正前の請求項１に記載された発明を特定するために必要な事項である「センサーチップ」、「送液手段」及び「第２温調手段」について、それぞれ、上記のとおり限定を付加したものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そこで、本件補正後の請求項１に記載される発明（以下「本件補正発明」という。）が、同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献の記載事項
ア　引用文献１について
（ア）引用文献１の記載
　原査定の拒絶の理由に引用された本願の優先権主張の日前に頒布された又は電気通信回線を通じて公衆に利用可能となった引用文献である、国際公開第２０１５／０６４７５７号（以下「引用文献１」という。）には、図面とともに、次の事項が記載されている（なお、下線は当審において付与した。以下同様。）。
（引１ａ）
「［０００６］　一般的に、１次反応および２次反応は、周囲の温度に依存して変化する。抗体を使用した場合、１次反応および２次反応は、室温より高い３７℃前後で最も促進される。また、蛍光物質から放出される蛍光の強度も、蛍光物質の周囲の温度に依存して変化する。
［０００７］　しかしながら、特許文献１，２に記載の分析装置および分析方法では、反応場の温度が管理されていないため、１次反応、２次反応および蛍光検出の時の反応場の温度は、分析装置の設置環境に依存してしまう。よって、特許文献１，２の分析装置および分析方法では、周囲の温度に応じて、１次反応において被検出物質が捕捉体に捕捉される割合や、２次反応において被検出物質が蛍光標識される割合、蛍光検出時の蛍光強度が変化してしまうおそれがある。したがって、特許文献１，２に記載の分析装置および分析方法では、検体に含まれる被検出物質を高感度かつ定量的に検出することができないおそれがある。
［０００８］　本発明の目的は、
被検出物質を高感度かつ定量的に検出する
（引１ｂ）
「［００１５］  （実施の形態１）
　実施の形態１では、本発明に係る検出装置であるＳＰＦＳ装置の一実施の形態について説明する。
［００１６］  まず、ＳＰＦＳ装置の概要について説明する。ＳＰＦＳ装置は、誘電体からなるプリズム上の金属膜に対して励起光を表面プラズモン共鳴が生じる角度で入射することで、金属膜表面上に局在場光（一般に「エバネッセント光」または「近接場光」とも呼ばれる）を発生させる。ＳＰＦＳ装置は、この局在場光により金属膜上に配置された被検出物質を標識する蛍光物質が選択的に励起され、蛍光物質から放出された蛍光の光量を検出することで、被検出物質の存在または量を検出する。
［００１７］  図１は、実施の形態１に係るＳＰＦＳ装置１００の構成を示す模式図である。図１に示されるように、ＳＰＦＳ装置１００は、励起光照射部１１０、光検出部１２０、加熱部１３０および制御部１４０を有する。ＳＰＦＳ装置１００は、被検出物質の検出では、ホルダー１５０ａに検出チップ１５０を装着した状態で使用される。そこで、検出チップ１５０について先に説明し、その後にＳＰＦＳ装置１００の各構成要素について説明する。
［００１８］  図２は、検出チップ１５０の構成を示す図である。図２Ａは、検出チップ１５０の斜視図であり、図２Ｂは、検出チップ１５０の長辺方向の断面図である。なお、図２Ａでは、後述のヒートブロック１３１を破線で示している。図１および図２に示されるように、検出チップ１５０は、プリズム１５１、金属膜１５２、反応部１５３および基体１５４を有する。通常、検出チップ１５０は、検出ごとに交換される。検出チップ１５０の大きさは、特に限定されず、各辺の長さが数ｍｍ〜数ｃｍ程度であることが好ましい。
・・・
［００２３］  反応部１５３は、金属膜１５２の２つの面（表面および裏面）のうち、プリズム１５１が配置されていない面（表面）上に配置されている。
反応部１５３は、被検出物質を捕捉するための１次抗体（捕捉体）を含み、被検出物質を捕捉する。１次抗体に捕捉された被検出物質は、蛍光物質で標識された２次抗体により蛍光標識される。このような状況において、反応部１５３は、金属膜１５２に励起光αが照射されることにより生じる局在場光により蛍光物質を励起して、蛍光γを放出させる
［００２４］  基体１５４は、金属膜１５２のプリズム１５１が配置されていない面（表面）上に配置されている。基体１５４は、上面１６６、側面１６７および下面１６８を有する。本実施の形態では、基体１５４は、
反応部１５３を覆うように配置され
液体貯留部１７３を有する流路１７２
［００２５］  基体１５４は、流路溝１７１に加えて、流路溝１７１の一端に形成された第１貫通孔１７４と、流路溝１７１の他端に形成された第２貫通孔１７５とを有する。第１貫通孔１７４および第２貫通孔１７５は、それぞれ円柱形状である。流路溝１７１は、開口部が金属膜１５２により閉塞されることで流路１７２となる。また、第１貫通孔１７４および第２貫通孔１７５は、流路１７２の開口部が金属膜１５２により閉塞されることでそれぞれ
流路１７２への注入口１７６
注入口１７６には、送液部（図示省略）を接続することができる
［００２６］  検体の種類は、特に限定されない。
検体
血液
などが含まれる
・・・
［００２８］  図１に示されるように、励起光αは、入射面１６１からプリズム１５１内に入射する。プリズム１５１内に入射した励起光αは、金属膜１５２に全反射角度（表面プラズモン共鳴が生じる角度）で入射する。このように金属膜１５２に対して励起光αを表面プラズモン共鳴が生じる角度で照射することで、金属膜１５２上に局在場光を発生させることができる。この局在場光により、金属膜１５２上に存在する被検出物質を標識する蛍光物質が励起され、蛍光γが出射される。ＳＰＦＳ装置１００は、蛍光物質から放出された蛍光γの光量を検出することで、被検出物質の存在または量を検出する。
［００２９］  次に、ＳＰＦＳ装置１００の各構成要素について説明する。前述のとおり、ＳＰＦＳ装置１００は、励起光照射部１１０、光検出部１２０、加熱部１３０および制御部１４０を有する。なお、特に図示しないが、ＳＰＦＳ装置１００は、透明な筐体に覆われていてもよい。
［００３０］  励起光照射部１１０は、励起光αを検出チップ１５０の金属膜１５２に向かって照射する。励起光αは、金属膜１５２で全反射されて反射光βとなる。励起光照射部１１０は、光源を有する。光源は、検出チップ１５０内の所定の点を中心に回動可能であり、金属膜１５２に対する励起光αの入射角を変えることができる。光源の種類は、特に限定されない。光源の例には、ガスレーザー、固体レーザーおよび半導体レーザーが含まれる。たとえば、励起光αは、波長２００〜１０００ｎｍのガスレーザー光または固体レーザー光、あるいは波長３８５〜８００ｎｍの半導体レーザー光である。
［００３１］  光検出部１２０は、金属膜１５２上から放出される蛍光γを検出する。光検出部１２０は、ホルダー１５０ａに保持された検出チップ１５０の金属膜１５２のプリズム１５１と対向しない面に対向するように配置されている。光検出部１２０は、第１レンズ１２１、フィルター１２２、第２レンズ１２３および光センサー１２４を有する。
［００３２］  第１レンズ１２１および第２レンズ１２３は、迷光の影響を受けにくい共役光学系を構成する。第１レンズ１２１と第２レンズ１２３との間を進行する光は、略平行光となる。第１レンズ１２１および第２レンズ１２３は、金属膜１５２上から出射される蛍光γを光センサー１２４の受光面上に結像させる。
［００３３］  フィルター１２２は、第１レンズ１２１および第２レンズ１２３の間に配置されている。フィルター１２２は、光センサー１２４による蛍光検出の精度および感度の向上に寄与する。フィルター１２２は、例えば、光学フィルターやカットフィルターなどである。光学フィルターの例には、減光（ＮＤ）フィルターやダイアフラムレンズなどが含まれる。カットフィルターは、外光（装置外の照明光）や励起光αの透過成分、迷光（励起光αの散乱成分）、プラズモン散乱光（励起光αを起源とし、検出チップ１５０表面の付着物などの影響で発生する散乱光）、各部材の自家蛍光などのノイズ成分を除去する。カットフィルターの例には、干渉フィルターや色フィルターなどが含まれる。
［００３４］  光センサー１２４は、検出チップ１５０から放出され、フィルター１２２を透過した蛍光γを検出する。光センサー１２４は、例えば、超高感度の光電子増倍管や、多点計測が可能なＣＣＤイメージセンサなどである。
［００３５］  
加熱部１３０は、
液体貯留部１７３に貯留した反応場の液体を
加熱部１３０は、ヒートブロック１３１
を有する
分析時の温度まで加熱する
［００３６］  ヒートブロック１３１の材料は、基体１５４を加熱することができれば、特に限定されないが、熱伝導性のよい金属などであることが好ましい。ヒートブロック１３１の材料は、銅やアルミニウムなどである。ヒートブロック１３１の数や大きさは、特に限定されず、加熱する反応場の液体の量などによって、適宜設定すればよい。
［００３７］  これにより、ヒートブロック１３１は、ＳＰＦＳ装置１００の機能を阻害することがない。また、基体１５４の他面も加熱する場合（図４Ａ参照）と比較して、ユーザビリティー（火傷などの回避や検出チップ１５０の着脱など）を考慮した設計を簡単に行うことができる。また、ヒートブロック１３１が反応場に近接しないため、温度変化に伴う検出誤差が生じにくい。また、ヒートブロック１３１とプリズム１５１を接触させないため、プリズム１５１の内部応力、ひいては複屈折の発生を抑制して、良好な励起光偏光状態を維持することができる。
［００３８］  熱源１３２は、制御部１４０と接続されており、ヒートブロック１３１を加熱する。ヒートブロック１３１と同様に、熱源１３２も、励起光照射部１１０から出射される励起光αの光路を避けて配置されている。すなわち、加熱部１３０は、励起光照射部１１０から出射される励起光αの光路を避けて配置されている。熱源１３２の種類は、特に限定されず、カートリッジヒーター、ラバーヒーター、セラミックヒーターなどの赤外線ヒーター、ペルチェ素子などが含まれる。熱源１３２の温度は、液体貯留部１７３内の反応場の液体を３４〜４０℃の温度（分析時の温度）に加熱することができれば、特に限定されない。本実施の形態では、熱源１３２の温度は、４０〜５０℃である。
［００３９］  熱源１３２によって加熱されたヒートブロック１３１は、基体１５４を加熱する。そして、ヒートブロック１３１との接触位置（基体１５４の下面１６８）から伝導した熱は、基体１５４の全体に伝導される。このとき、基体１５４に伝わった熱は、流路１７２の液体貯留部１７３の液体に伝導される。これにより、加熱部１３０によって液体貯留部１７３内の反応場の液体が分析時の温度に加熱される。
［００４０］  制御部１４０は、励起光照射部１１０、光検出部１２０および加熱部１３０を統括的に制御する。制御部１４０は、例えば、演算装置、制御装置、記憶装置、入力装置および出力装置を含む公知のコンピュータやマイコンなどを有する。
［００４１］  次に、ＳＰＦＳ装置１００の検出動作（本発明の実施の形態１に係る検出方法）について説明する。図３は、ＳＰＦＳ装置１００の動作手順の一例を示すフローチャートである。
［００４２］  まず、ＳＰＦＳ装置１００のホルダー１５０ａに検出チップ１５０が設置される（Ｓ１００）。このとき、検出チップ１５０は、下面１６８に加熱部１３０のヒートブロック１３１が接触するように設置される。
［００４３］  次いで、制御部１４０は、熱源１３２を操作して、ヒートブロック１３１を加熱する（Ｓ１１０）。これにより、液体貯留部１７３内の反応場の液体を分析時の温度まで加熱する。本実施の形態では、分析時の反応場の液体の温度は、３７℃であり、１次反応および２次反応の至適温度でもある。
［００４４］  次いで、流路１７２に被検出物質を含む可能性がある検体を送液する（Ｓ１２０）。
流路１７２内では、反応部１５３に固定されている捕捉体（１次抗体）に被検出物質を確実に捕捉させる（抗原抗体反応させる）ため、ポンプを駆動して検体を流路１７２内で往復させる
流路１７２（液体貯留部１７３）
［００４５］  次いで、蛍光物質で標識された２次抗体を含む試薬を流路１７２にポンプによって送液する（Ｓ１３０）。この場合も、流路１７２に送液された試薬は、送液直後に分析時の温度まで加熱される。そして、試薬に含まれる蛍光物質で標識された２次抗体は、確実に被検出物質に結合する。なお、検体および試薬を事前に混合して、被検出物質と２次抗体を予め結合させた状態で、液体を流路に送液してもよい。これにより、被検出物質が蛍光物質で標識される。この後、流路１７２内の試薬（標識液）は除去され、流路１７２内は洗浄液で洗浄される。
［００４６］  次いで、励起光αが金属膜１５２に対して特定の入射角（図１参照）で入射するように、光源から検出チップ１５０に励起光αを照射する（Ｓ１４０）。そして、この局在場光により、反応部１５３上に捕捉された被検出物質を標識する蛍光物質が効率良く励起され、蛍光γが放出される。
［００４７］  以上の手順により、検体の被検出物質の存在またはその量を検出することができる。」
（引１ｃ）
「［００６０］  （実施の形態２）
  実施の形態２に係るＳＰＦＳ装置２００は、試薬保管部２５０を有する点、試薬保管部２５０を加熱する第２加熱部２３０を有する点などにおいて、実施の形態１に係るＳＰＦＳ装置１００と異なる。そこで、主として実施の形態１に係るＳＰＦＳ装置１００と異なる部分について説明する。
［００６１］  図７は、実施の形態２に係るＳＰＦＳ装置２００の構成を示す図である。図７に示されるように、実施の形態２に係る
ＳＰＦＳ装置２００は、励起光照射部１１０、光検出部１２０、第１加熱部１３０（実施の形態１における加熱部）、第２加熱部２３０、移動部２８０、送液部２９０および制御部２４０を有する
ＳＰＦＳ装置２００は、被検出物質の検出では、ホルダー１５０ａに検出チップ３５０を装着した状態で使用される
［００６２］  図８は、実施の形態２に係る検出チップ３５０の長辺方向の断面図である。なお、図８では、第１基体３５４および第２基体２５４のハッチングを省略している。図８に示されるように、
実施の形態２に係る検出チップ３５０は、実施の形態１における検出チップ１５０の構成要素に加え、試薬保管部２５０を有する
［００６３］  図８に示されるように、検出チップ３５０には、検出用ウェル２７３が配置されている。検出用ウェル２７３の底部には、反応部１５３が配置されている。試薬保管部２５０は、第２基体２５４および複数のウェル２５５を有する。第２基体２５４は、略板状の透明部材である。第２基体２５４は、第１基体３５４（実施の形態１の基体１５４）と一体として形成されている。
［００６４］  ウェル２５５は、上述した１次反応および２次反応に使用される検体や試薬を保管する。ウェル２５５は、第２基体２５４に形成されている。ウェル２５５の形状は、特に限定されない。ウェル２５５の形状は、保管する検体や試薬の量に応じて適宜設定されうる。
［００６５］  図７に示されるように、
第２加熱部２３０は、
試薬保管部２５０に保管された液体を
第２加熱部２３０は、第２ヒートブロック２３１
を有する
所定の温度まで加熱する
［００６６］  移動部２８０は、ステージ２８１と、ステージ２８１を移動させる移動機構２８２を有する。ステージ２８１は、例えば、平板状に形成されている。ステージ２８１の上には、第１加熱部１３０の第１ヒートブロック１３１（実施の形態１におけるヒートブロック）および第２加熱部２３０の第２ヒートブロック２３１が配置されている。そして、第１ヒートブロック１３１および第２ヒートブロック２３１が配置されたステージ２８１の上に、検出チップ３５０を配置する。
［００６７］  移動部２８０は、検出チップ３５０を、測定位置（励起光照射部１１０によって励起光αが照射され、発生した蛍光γを光検出部１２０で検出する位置）と、送液位置（送液部２９０によって、検体または試薬を送液する位置）と、の間で移動させる。
［００６８］  送液部２９０は、
試薬保管部２５０に保管された検体または試薬
送液部２９０は、
ピペット２９１およびポンプ２９２を有する。ポンプ２９２を駆動することで、検体または試薬の吸引および排出が定量的に行われる
［００６９］  制御部２４０は、励起光照射部１１０、光検出部１２０、第１加熱部１３０、第２加熱部２３０、移動部２８０および送液部２９０を統括的に制御する。
［００７０］  次に、ＳＰＦＳ装置２００の検出動作（本発明の実施の形態２に係る検出方法）について説明する。図９は、ＳＰＦＳ装置２００の動作手順の一例を示すフローチャートである。
［００７１］  まず、ＳＰＦＳ装置２００における検出チップ１５０の設置位置に位置するホルダー１５０ａに検出チップ３５０が設置される（工程Ｓ２００）。このとき、検出チップ３５０は、第１加熱部１３０の第１ヒートブロック１３１と、第２加熱部２３０の第２ヒートブロック２３１と接触するように設置される。
［００７２］  次いで、制御部２４０は、第１熱源１３２および第２熱源２３２の電源を操作して、第１ヒートブロック１３１および第２ヒートブロック２３１を加熱する（工程Ｓ２１０）。これにより、試薬保管部２５０および液体貯留部１７３内の温度を反応場の液体と同じ温度まで加熱する。本実施の形態では、反応場の液体の温度は、３７℃であり、１次反応および２次反応の至適温度でもある。
［００７３］  次いで、制御部２４０は、移動機構２８２を操作して、検出チップ３５０を送液位置に移動させる（工程Ｓ２２０）。
［００７４］  次いで、制御部２４０は、送液部２９０を操作して、試薬保管部２５０内の検体を
検出チップ３５０の検出用ウェル２７３
液体貯留部１７３
［００７５］  次いで、制御部２４０は、送液部２９０を操作して、蛍光物質で標識された２次抗体を含む試薬（標識液）を検出チップ３５０の検出用ウェル２７３内に導入する（工程Ｓ２４０）。この場合も、検出用ウェル２７３に送液された試薬は、予め２次抗体と被検出物質とが反応する分析時の温度に加熱されているため、温度が下がることがない。そして、試薬に含まれる蛍光物質で標識された２次抗体は、確実に被検出物質に結合する。これにより、被検出物質が蛍光物質で標識される。この後、検出用ウェル２７３内の標識液は除去され、流路内は洗浄液で洗浄される。
［００７６］  次いで、制御部２４０は、移動機構２８２を操作して、検出チップ３５０を送液位置から測定位置に移動させる（工程Ｓ２５０）。そして、励起光αが金属膜１５２に対して特定の入射角で入射するように、光源から検出チップ３５０に励起光αを照射する（工程Ｓ２６０）。
［００７７］  以上の手順により、検体の被検出物質の存在またはその量を検出することができる。
［００７８］  以上のように、
実施の形態２に係るＳＰＦＳ装置２００は、試薬保管部２５０もさらに加熱しているため、実施の形態１に係るＳＰＦＳ装置１００と比較して、さらに被検出物質を高精度にかつ高感度に検出することができる
（引１ｄ）図１
（引１ｅ）図２
（引１ｆ）図３
（引１ｇ）図７
（引１ｈ）図８
（イ）　引用文献１に記載の技術的事項
　上記（ア）の記載及び図面から、引用文献１には、次の技術的事項が記載されているものと認められる。
ａ　検出チップ３５０について
　「実施の形態１における検出チップ１５０」は、［００２３］〜［００２６］によれば、「血液」などの「検体に含まれる」「被検出物質を捕捉するための１次抗体（捕捉体）を含み、被検出物質を捕捉」し、「１次抗体に捕捉された被検出物質は、蛍光物質で標識された２次抗体により蛍光標識され、」「このような状況において、」「金属膜１５２に励起光αが照射されることにより生じる局在場光により蛍光物質を励起して、蛍光γを放出させる」「反応部１５３」「を覆うように配置され」た「液体貯留部１７３を有する流路１７２」と、「流路１７２への注入口１７６」と、を有するものである。
　そして、「実施の形態２に係る検出チップ３５０」は、［００６２］によれば、「実施の形態１における検出チップ１５０の構成要素に加え、試薬保管部２５０を有する」ものである。ここで、「試薬保管部２５０」には、［００６８］によれば、「検体または試薬」が「保管され」る。
　また、［００２５］によれば、実施の形態１における検出チップ１５０の「注入口１７６には、送液部（図示省略）を接続することができ」、［００６８］によれば、実施の形態２の「送液部２９０」は、「ピペット２９１およびポンプ２９２を有」することから、実施の形態２に係る検出チップ３５０は、流路１７２への注入口１７６の空間にピペット２９１の先端部が挿入され、「検体または試薬の吸引および排出が定量的に行われる」ものであることが分かる。
　よって、実施の形態２に係る「検出チップ３５０」は、「検体または試薬」が「保管され」る「試薬保管部２５０」と、「血液」などの「検体に含まれる」「被検出物質を捕捉するための１次抗体（捕捉体）を含み、被検出物質を捕捉」し、「１次抗体に捕捉された被検出物質は、蛍光物質で標識された２次抗体により蛍光標識され、」「このような状況において、」「金属膜１５２に励起光αが照射されることにより生じる局在場光により蛍光物質を励起して、蛍光γを放出させる」「反応部１５３」「を覆うように配置され」た「液体貯留部１７３を有する流路１７２」と、「流路１７２への注入口１７６」と、を有し、注入口１７６の空間にピペット２９１の先端部が挿入され、「検体または試薬の吸引および排出が定量的に行われる」ものである。
ｂ　ＳＰＦＳ装置２００について
　「ＳＰＦＳ装置２００」は、［００６１］によれば、「励起光照射部１１０、光検出部１２０、第１加熱部１３０（実施の形態１における加熱部）、第２加熱部２３０、移動部２８０、送液部２９０および制御部２４０を有」し、「被検出物質の検出では、検出チップ３５０を装着した状態で使用される」ものである。
ｃ　ＳＰＦＳ装置２００の各構成要素について
（ａ）送液部２９０について
　上記ａのとおり　「実施の形態２に係る検出チップ３５０は、実施の形態１における検出チップ１５０の構成要素に加え」るものであるから、「送液部２９０」は、［００６８］、［００７４］及び図７によれば、「ピペット２９１およびポンプ２９２を有」し、「ポンプ２９２を駆動することで」、「ポンプ２９２」に取り付けられた「ピペット２９１」を介して、「検出チップ３５０の」「液体貯留部１７３を有する流路１７２」（「液体貯留部１７３」を有する「検出用ウェル２７３」）」に、「試薬保管部２５０に保管された検体または試薬」の「吸引および排出が定量的に行われる」ものである。
　また、「送液部２９０」は、［００４４］によれば、「流路１７２内では、反応部１５３に固定されている捕捉体（１次抗体）に被検出物質を確実に捕捉させる（抗原抗体反応させる）ため、ポンプを駆動して検体を流路１７２内で往復させる」ものである。
（ｂ）第１加熱部１３０について
　「第１加熱部１３０（実施の形態１における加熱部）」は、［００３５］によれば、「ヒートブロック１３１」「を有」し、「液体貯留部１７３に貯留した反応場の」「検体または試薬を」、「分析時の温度まで加熱する」ものである。
（ｃ）第２加熱部２３０について
　「第２加熱部２３０」は、［００６５］によれば、「第２ヒートブロック２３１」「を有」し、「試薬保管部２５０に保管された」「検体または試薬を」、「所定の温度まで加熱する」ものである。
（ウ）引用文献１に記載された発明
　上記（ア）、（イ）から、引用文献１には、実施の形態２に関する、次の発明（以下「引用発明」という。）が記載されていると認められる。
「　検体または試薬が保管される試薬保管部２５０と、血液などの検体に含まれる被検出物質を捕捉するための１次抗体（捕捉体）を含み、被検出物質を捕捉し、１次抗体に捕捉された被検出物質は、蛍光物質で標識された２次抗体により蛍光標識され、このような状況において、金属膜１５２に励起光αが照射されることにより生じる局在場光により蛍光物質を励起して、蛍光γを放出させる反応部１５３を覆うように配置された液体貯留部１７３を有する流路１７２と、流路１７２への注入口１７６と、を有し、注入口１７６の空間にピペット２９１の先端部が挿入され、検体または試薬の吸引および排出が定量的に行われる、検出チップ３５０と、
　励起光照射部１１０、光検出部１２０、第１加熱部１３０、第２加熱部２３０、移動部２８０、送液部２９０および制御部２４０を有し、被検出物質の検出では、検出チップ３５０を装着した状態で使用されるＳＰＦＳ装置２００と、
　を備え、
　ＳＰＦＳ装置２００は、
　ピペット２９１およびポンプ２９２を有し、ポンプ２９２を駆動することで、ポンプ２９２に取り付けられたピペット２９１を介して、検出チップ３５０の液体貯留部１７３を有する流路１７２に、試薬保管部２５０に保管された検体または試薬の吸引および排出が定量的に行われる、送液部２９０であって、流路１７２内では、反応部１５３に固定されている捕捉体（１次抗体）に被検出物質を確実に捕捉させる（抗原抗体反応させる）ため、ポンプ２９２を駆動して検体を流路１７２内で往復させる、送液部２９０と、
　ヒートブロック１３１を有し、液体貯留部１７３に貯留した反応場の検体または試薬を、分析時の温度まで加熱する第１加熱部１３０と、
　第２ヒートブロック２３１を有し、試薬保管部２５０に保管された検体または試薬を、所定の温度まで加熱する第２加熱部２３０と、
を有する検出システム。」
イ　引用文献２について
（ア）引用文献２の記載
　原査定の拒絶の理由に引用された本願の優先権主張の日前に頒布された又は電気通信回線を通じて公衆に利用可能となった引用文献である、特開２００４−６１１７３号公報（以下「引用文献２」という。）には、図面とともに、次の事項が記載されている。
（引２ａ）
「【００１９】
摺動子１３，１４はそれぞれ支持部材２４，２５を介して第１ピペット２８と第２ピペット２９を搭載し、摺動子１５は支持部材２６を介してキャッチャ２７を搭載する。なお
、第１ピペット２８は外周にピペットヒータ３６を備え吸引した液体を４２℃に加熱する
（引２ｂ）
「【００４０】
混合容器回転機構部
図４に示すように
混合容器回転機構部４４
第２ホルダー８６
外周にフィルムヒータ８７が巻き付けられている
（引２ｃ）
「【００４７】
試料調製装置
分析用試料
まず、使用者は、図９に示す容器搭載部６１の５つの第１ホルダー６８の穴７４の各々に、検体（例えば尿）を収容したチューブ（以下、検体チューブという）Ｔを装填すると共に、５つの空容器収容穴６７の各々に空のチューブ（以下、空チューブという）Ｔを装填する。
【００４８】
使用者はハンドル７１を握って、容器搭載部６１を図８に示す回転板６２上に載置する。この際、図１１に示す溝７０に図８に示すガイドブロック６３が挿入されるように、容器搭載部６１を回転板６２上で摺動させて押し込み、図６に示すように位置決めピン６５を位置決め穴６９へ圧縮スプリング６４の付勢力により嵌入させる。それに伴って、容器搭載部６１は突出部６６に係止し、回転板６２と同軸になるように位置決めされる。なお、容器搭載部６１を回転板６２から取りはずす場合には、この逆の動作を行えばよい。
【００４９】
次に、次の工程（１）〜（１７）が自動的に行われる。
（１）ステッピングモータ４５が時計方向に回転し、それに伴ってターンテーブル４２が所定の初期位置から時計方向に回転する。そして、図２に示すように１つの検体チューブＴとその両側の２つの空チューブＴが直線Ｌ上に整列すると、ステッピングモータ４５が停止する。この時、中央の検体チューブＴを収容する第１ホルダー６８は、図５に示すようにマグネットカップリング９１と対向する。
【００５０】
（２）次に、図１に示すステッピングモータ４と１７が駆動し、図２の直線Ｌ上にある２本の空チューブＴの内、右側の
空チューブＴを
混合容器回転機構部４４の第２ホルダー８６へ挿入する
混合容器回転機構部４４のフィルムヒータ８７（図４）にはすでに通電が行われ、第２ホルダー８６の温度が４２℃に維持されている
【００５１】
（３）次に、ステッピングモータ４と１７が駆動し、第２ホルダー８６に空チューブＴを残してキャッチャ２７を第２ホルダー８６から引き離す。
（４）次に、ステッピングモータ４と１６が駆動して第１ピペット２８を希釈液容器３４に挿入し、３４０μＬの希釈液を吸引してピペットヒータ３６で４２℃に加熱する。
（５）次に、ステッピングモータ４と１６が駆動して第１ピペット２８を図２の直線Ｌ上に存在する検体チューブＴへ挿入する。この時、第１ピペット２８は検体チューブＴの軸から偏心した位置に保持される。
【００５２】
（６）次に、ステッピングモータ４５が反時計方向に所定時間だけ回転する。それによって、プーリ５８が反時計方向に回転し、直線Ｌ上の検体チューブＴも反時計方向に回転する。検体チューブＴの回転中に、第１ピペット２８は検体チューブＴ内の検体をくり返し吸引・吐出する。偏心した第１ピペット２８に対する検体チューブＴの回転動作と、第１ピペット２８の吸引・吐出動作により検体が十分に撹拌される。
【００５３】
（７）次に、
第１ピペット２８は、撹拌された検体を５０μＬだけ吸引し、先に吸引した３４０μＬの希釈液と共に４２℃に加熱する
（８）次に、ステッピングモータ４，１６が駆動し、第１ピペット２８を検体チューブＴから引き抜き、前記工程（２）で第２ホルダー８６に挿入されている空チューブＴへ挿入する。この時、第１ピペット２８は挿入された空チューブＴの軸から偏心した位置に保持される。
【００５４】
（９）次に、
第１ピペット２８は、４２℃に加熱された３４０μＬの希釈液と５０μＬの検体とを空チューブＴへ吐出する
混合チューブＴの回転中に、
第１ピペット２８は吸引・吐出動作をくり返す
第１ピペット２８の吸引・吐出動作により、均一に８倍に希釈された希釈検体が調製される
【００５５】
（１０）次に、ステッピングモータ４，１６が駆動し、第１ピペット２８を混合チューブＴから引き抜く。
（１１）次に、ステッピングモータ４，１７が駆動し、第２ピペット２９を混合チューブＴへ挿入する。この時、第２ピペット２９は混合チューブＴの軸から偏心した位置に保持される。
【００５６】
（１２）次に、第２ピペット２９は、後述する染色液容器から１０μＬの染色液を吸引して混合チューブＴへ吐出する。これと同時にステッピングモータ４５が所定時間だけ反時計方向に回転する。従って、混合チューブＴも軸中心に回転する。混合チューブＴの回転中に第２ピペット２９は吸引・吐出動作をくり返す。偏心した第２ピペット２９に対する混合チューブＴの回転動作と、第２ピペット２９の吸引・吐出動作により、希釈検体に染色液が均一に混合され、分析用試料が調製される。
なお、
調製された分析試料は混合容器回転機構部４４のフィルムヒータ８７により４２℃に保温されている
【００５７】
（１３）次に、ステッピングモータ４と１７が駆動して第２ピペット２９を混合チューブＴから引き抜く。
（１４）次に、ステッピングモータ４と１７が駆動して、キャッチャ２７により混合チューブＴを第２ホルダー８６から引き抜き、第３ピペット４８まで搬送し、第３ピペット４８を混合チューブＴへ挿入させる。そして、第３ピペット４８は混合チューブ１から分析用試料を吸引する。
（１５）次に、ステッピングモータ４と１７が駆動して、キャッチャ２７が空になった混合チューブＴを容器廃棄部４６の廃棄穴３５へ挿入して廃棄する。
【００５８】
（１６）次に、ステッピングモータ４と１７が駆動して、キャッチャ２７が洗浄装置５２の上部を把持して持ち上げ、第３ピペット４８を洗浄装置５２へ挿入させる。それによって、第３ピペットが洗浄される。
（１７）次に、ステッピングモータ４，１６，１７が駆動して洗浄装置５２を図１に示す位置に戻すと共に、第１ピペット２８、第２ピペット２９、キャッチャ２７および水平移動プレート８を図１に示す位置に戻す。
次に、ステッピングモータ４５が時計方向に回転すると、新しい検体チューブＴと空チューブＴが図２の直線Ｌ上に配置され、次の分析用試料の調製に備える。」
（引２ｄ）図１
（引２ｅ）図４
（イ）　引用文献２に記載の技術的事項
　「第１ピペット２８」は、【００１９】及び図１によれば、第１ピペット２８の先端部を除く「外周にピペットヒータ３６を備え吸引した液体を４２℃に加熱する」ものである。
　この点を含めて上記（ア）の記載及び図面から、引用文献２には、次の技術的事項が記載されているものと認められる。
「　分析用試料の試料調製装置であって、
　第１ピペット２８は、第１ピペット２８の先端部を除く外周にピペットヒータ３６を備え吸引した液体を４２℃に加熱するものであり、
　第１ピペット２８は、撹拌された検体を５０μＬだけ吸引し、先に吸引した３４０μＬの希釈液と共に４２℃に加熱し、フィルムヒータ８７により第２ホルダー８６の温度が４２℃に維持されている混合容器回転機構部４４の第２ホルダー８６へ挿入された空チューブＴに、第１ピペット２８は、４２℃に加熱された３４０μＬの希釈液と５０μＬの検体とを吐出し、その後、第１ピペット２８は吸引・吐出動作をくり返すことにより、均一に８倍に希釈された希釈検体が調製される、試料調製装置。」
ウ　引用文献３について
（ア）引用文献３の記載
　原査定の拒絶の理由に引用された本願の優先権主張の日前に頒布された又は電気通信回線を通じて公衆に利用可能となった引用文献である、特開２０１１−９９６８１号公報（以下「引用文献３」という。）には、図面とともに、次の事項が記載されている。
（引３ａ）
「【００４７】
　図２に示すように、試薬分注機構３００より吸引され、第１の反応部１００の反応容器１０６に一旦吐出された血液凝固分析用の試薬は、一定時間放置され、第１の反応部１００により３７℃に昇温される。その後、試薬分注機構３００により再度吸引されて第２の反応部２００の反応容器２０６に吐出されるが、この再吸引から吐出までは、ヒータ３０４を稼動させて試薬を３７℃に保温しながら行われる。なお、第１の反応部１００の反応容器１０６には、希釈等を行う前処理液用の容器を含んでいてもよい。また、ヒータ３０４は、試薬が試薬容器２０８から吸引されて第１の反応部１００の反応容器１０６に吐出されるまでの間も稼動させてもよい。
【００４８】
　このように、本発明の
自動分析装置１
【００４９】
　また、
試薬分注機構３００のヒータ３０４で保温しながら吸引吐出するため、より安定した温度にて試薬の吐出が可能となり、温度管理が容易になる
【００５０】
　さらに、１分注サイクル毎に試薬を吸引し、試薬分注機構内のヒータでのみ昇温させる方法と比較すると、ヒータへ与える熱量が少なくて済み、処理能力の向上を図ることができる。
【００５１】
　さらに、生化学分析時には試薬分注機構３００のヒータ３０４を稼動させない一方、血液凝固分析時に稼動させることで、生化学分析時に要請される微量分注の精度が容易になる。したがって、試薬分注機構３００の共用が可能となり、部品点数の削減、省スペース化が図れる。
【００５２】
　さらに、血液凝固分析単独の分析装置では、試薬の昇温のために恒温槽を設けた装置がなかったため、反応部が恒温槽としても機能する生化学分析のユニットと組み合わせたことにより、相乗的な効果が得られる。
【００５３】
　つづいて、試薬分注機構３００の試薬分注プローブ３０２による試薬吸引方法を説明する。図３（ａ）〜（ｃ）は、試薬分注プローブの試薬吸引方法を説明する説明図である。
【００５４】
　まず、図３（ａ）に示すように、
血液凝固分析用の試薬２１８を保温するヒータ３０４は、試薬分注プローブ３０２内に内蔵されており、その先端より上方から高さ方向所定域に亘って配置され、プローブ先端には配置されないようになっている
【００５５】
　これにより、プローブ先端が温まらない構造となるので、温まった試薬分注プローブ３０２を試薬容器２０８に挿入しても、試薬２１８が劣化する懸念が解消できる。」
（引３ｂ）図２
（イ）　引用文献３に記載の技術的事項
　上記（ア）の記載及び図面から、引用文献３には、次の技術的事項が記載されているものと認められる。
「　血液凝固分析用の試薬２１８を保温するヒータ３０４は、試薬分注プローブ３０２内に内蔵されており、その先端より上方から高さ方向所定域に亘って配置され、プローブ先端には配置されないようになっており、試薬分注機構３００のヒータ３０４で保温しながら吸引吐出するため、より安定した温度にて試薬の吐出が可能となり、温度管理が容易になる、自動分析装置１。」
エ　周知技術について
　引用文献２及び３に記載の技術的事項（上記イ（イ）及びウ（イ）を参照。）によれば、ピペットチップを用いた検査システムにおいて、ピペットチップは、その先端部以外が加熱部で覆われており、加熱部によりピペットチップを加熱することで、ピペットチップ内に吸引された液体を所定温度に保持することは、周知技術であると認められる。
（３）対比
　本件補正発明と引用発明とを対比する。
ア　引用発明の「血液などの検体に含まれる被検出物質を捕捉する」「（抗原抗体反応させる）」「ための１次抗体（捕捉体）を含」む「反応部１５３を覆うように配置された液体貯留部１７３を有する流路１７２」は、本件補正発明の「少なくとも一部に生体反応を行うための反応場を有する流路」に相当する。
イ　引用発明の「流路１７２への注入口１７６」は、「注入口１７６の空間にピペット２９１の先端部が挿入され、検体または試薬の吸引および排出が定量的に行われる」ことから、本件補正発明の「前記流路に連通するとともにピペットチップの先端部を収容可能な空間が設けられた液体吐出／吸引部」に相当する。
ウ　上記ア及びイを踏まえると、引用発明の「血液などの検体に含まれる被検出物質を捕捉する」「（抗原抗体反応させる）」「ための１次抗体（捕捉体）を含」む「反応部１５３を覆うように配置された液体貯留部１７３を有する流路１７２」と、「流路１７２への注入口１７６」と、を有する「検出チップ３５０」は、本件補正発明の「少なくとも一部に生体反応を行うための反応場を有する流路と、前記流路に連通するとともにピペットチップの先端部を収容可能な空間が設けられた液体吐出／吸引部と、を有するセンサーチップ」に相当する。
エ　引用発明の「被検出物質の検出では、検出チップ３５０を装着した状態で使用されるＳＰＦＳ装置２００」は、本件補正発明の「前記センサーチップをセットして、ＳＰＦＳ法により前記生体反応を行うＳＰＦＳ装置」に相当する。
オ　引用発明の「ポンプ２９２」は、「ポンプ２９２を駆動することで、」「検体または試薬の吸引および排出が定量的に行われる」から、本件補正発明の「前記生体反応に用いられる反応用液を送液または吸引するためのポンプ」に相当する。
カ　引用発明の「ピペット２９１」は、「ポンプ２９２を駆動することで、ポンプ２９２に取り付けられたピペット２９１を介して、」「検体または試薬の吸引および排出が定量的に行われる」から、液体である「検体または試薬」を保持するものといえる。そうすると、引用発明の「ピペット２９１」は、本件補正発明の「該ポンプに取り付けられた液体保持部としての前記ピペットチップ」に相当する。
キ　引用発明の「ピペット２９１を介して、検出チップ３５０の液体貯留部１７３を有する流路１７２に、試薬保管部２５０に保管された検体または試薬の吸引および排出が定量的に行われる」ことは、本件補正発明の「前記ピペットチップを介してセンサーチップの流路に前記反応用液を流入および流出させる」ことに相当する。
ク　上記オ〜キを踏まえると、引用発明の「ピペット２９１およびポンプ２９２を有し」、「ピペット２９１を介して、検出チップ３５０の液体貯留部１７３を有する流路１７２に、試薬保管部２５０に保管された検体または試薬の吸引および排出が定量的に行われる」「送液部２９０」は、本件補正発明の「前記生体反応に用いられる反応用液を送液または吸引するためのポンプと、該ポンプに取り付けられた液体保持部としての前記ピペットチップと、を有し、前記ピペットチップを介してセンサーチップの流路に前記反応用液を流入および流出させる送液手段」に相当する。
ケ　引用発明の「液体貯留部１７３に貯留した反応場の検体または試薬を、分析時の温度まで加熱する」「第１加熱部１３０」は、本件補正発明の「前記流路内に流入した反応用液を温調する第１温調手段」に相当する。
コ　引用発明の「送液部２９０」により、「流路１７２内では、反応部１５３に固定されている捕捉体（１次抗体）に被検出物質を確実に捕捉させる（抗原抗体反応させる）ため、ポンプ２９２を駆動して検体を流路１７２内で往復させる」ことは、本件補正発明の「前記送液手段により、前記流路内に流入した反応用液の少なくとも一部を前記流路の外へ流出させるとともに再び流入させて往復移動させる送液（往復送液）を行う」ことに相当する。
サ　引用発明の「検出システム」は、本件補正発明の「検査システム」に相当する。
（４）一致点・相違点
　上記（３）から、本件補正発明と引用発明とは、次の点で一致し、次の点で相違する。
（一致点）
「　少なくとも一部に生体反応を行うための反応場を有する流路と、前記流路に連通するとともにピペットチップの先端部を収容可能な空間が設けられた液体吐出／吸引部と、を有するセンサーチップと、
　前記センサーチップをセットして、ＳＰＦＳ法により前記生体反応を行うＳＰＦＳ装置と、
　を備え、
　前記ＳＰＦＳ装置は、
　前記生体反応に用いられる反応用液を送液または吸引するためのポンプと、該ポンプに取り付けられた液体保持部としての前記ピペットチップと、を有し、前記ピペットチップを介してセンサーチップの流路に前記反応用液を流入および流出させる送液手段と、
　前記流路内に流入した反応用液を温調する第１温調手段と、を少なくとも備えており、
　前記送液手段により、前記流路内に流入した反応用液の少なくとも一部を前記流路の外へ流出させるとともに再び流入させて往復移動させる送液（往復送液）を行う検査システム。」
（相違点）
　本件補正発明では、
「前記ピペットチップは、
　前記液体吐出／吸引部の空間に挿入される前記ピペットチップの先端部が少なくとも露出するように前記ピペットチップの一部だけがヒートブロックである第２温調手段で覆われており、
　前記第２温調手段は、
　前記往復送液中に、前記送液手段が液体を保持する部分（液体保持部）の温調を介して前記センサーチップの流路の外に流出した反応用液を温調し、
　さらに前記第２温調手段は、
　１回の往復送液における前記反応用液の温度の振れ幅の大きさが、第２温調を行わずに同一条件で往復送液をした場合よりも小さくなるように、前記反応用液の温度を調節する」のに対し、
　引用発明では、このような特定がない点。
（５）判断
　上記相違点について検討する。
　上記（２）エのとおり、ピペットチップを用いた検査システムにおいて、ピペットチップは、その先端部以外が加熱部で覆われており、加熱部によりピペットチップを加熱することで、ピペットチップ内に吸引された液体を所定温度に保持することは、周知技術である。
　一方、引用発明（実施の形態２）は、「被検出物質を高精度にかつ高感度に検出する」（［０００８］）という課題を解決するために、「液体貯留部１７３を有する流路１７２」を「加熱する」ことに加えて、「検体または試薬が保管される試薬保管部２５０」を「加熱する」ことで、「液体貯留部１７３を有する流路１７２」のみを「加熱する」場合（実施の形態１）と比べて、
さらに
　してみると、引用発明において、「ピペット２９１」を加熱するために上記周知技術を適用し、ピペット２９１（ピペットチップ）が、注入口１７６（液体吐出／吸引部）の空間に挿入される、ピペット２９１の先端部が少なくとも露出するように、ピペット２９１の一部だけがヒートブロックで覆われる構成とし、１回の往復送液における検体（反応用液）の温度の振れ幅の大きさが、ピペット２９１の加熱を行わずに同一条件で往復送液をした場合よりも小さくなるようにピペット２９１の加熱により検体の温度を温調することは、引用発明に上記周知技術を具体的に適用することに伴う設計事項といえることから、上記相違点に係る本件補正発明の構成とすることは、当業者が容易に想到し得ることである。
　そして、本件補正発明の奏する作用効果は、引用文献１〜３の記載から予測される範囲内のものにすぎず、顕著なものということはできない。
（６）請求人の主張について
　請求人は審判請求書において、「引用文献１〜４には具体的にどのようにして加温するのか、本願発明のＳＰＦＳ装置を用いた検査システムのように、ピペットチップが、液体吐出／吸引部の空間に挿入されるピペットチップの先端部が少なくとも露出するようにピペットチップの一部だけがヒートブロックである第２温調手段で覆われる構成について、何ら開示ないし示唆さえされておりません。 
 　また、このようなヒートブロックで温調を行った際に、１回の往復送液における反応用液の温度の振れ幅の大きさが、第２温調を行わずに同一条件で往復送液をした場合よりも小さくなるように第２温調手段により反応用液の温度を温調するようにし、目的の生体反応を生体反応に適した温度条件で行うことができるようにすることは、審査官殿の挙げられた引用文献１〜４には開示ないし示唆がなされておりません。」と主張するが、当該主張については上記（５）で検討したとおりであるから、採用できない。
（７）小括
　したがって、本件補正発明は、引用発明及び周知技術に基づいて、当業者が容易に発明をすることができたものであり、特許法第２９条第２項の規定により、特許出願の際独立して特許を受けることができないものである。
３　本件補正についてのむすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の結論のとおり決定する。
第３　本願発明について
１　本願発明
　本件補正は、上記第２のとおり却下されたので、本願の請求項１に係る発明は、令和２年３月４日にされた手続補正により補正された特許請求の範囲の請求項１に記載された事項により特定されるものであるところ、その請求項１に係る発明（以下「本願発明」という。）は、上記第２の［理由］１（２）に記載されたとおりのものである。
２　原査定の拒絶の理由
　原査定の拒絶の理由は、本願の請求項１に係る発明は、本願の優先権主張の日前に頒布された又は電気通信回線を通じて公衆に利用可能となった下記の引用文献１に記載された発明及び周知技術（引用文献２、３）に基づいて、当業者が容易に発明をすることができたものであるから、特許法第２９条第２項の規定により特許を受けることができない、というものである。
引用文献１：国際公開第２０１５／０６４７５７号
引用文献２：特開２００４−６１１７３号公報
引用文献３：特開２０１１−９９６８１号公報
３　引用文献
　原査定の拒絶の理由で引用された引用文献及びその記載事項は、上記第２の［理由］２（２）に記載したとおりである。
４　対比・判断
　本願発明は、上記第２の［理由］２（３）〜（５）で検討した本件補正発明から、「センサーチップ」、「送液手段」及び「第２温調手段」について付加した限定を削除したものである。
　そうすると、本願発明の発明特定事項を全て含み、「センサーチップ」、「送液手段」及び「第２温調手段」について付加した限定を追加したものに相当する本件補正発明が、上記第２の［理由］２（３）〜（５）に記載したとおり、引用発明及び周知技術に基づいて、当業者が容易に発明をすることができたものであるから、本願発明も、引用発明及び周知技術に基づいて、当業者が容易に発明をすることができたものである。
第４　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。